(57)【要約】【課題】本発明の目的は、保護カバーの回動性を向上させ、作業性の良い携帯用切断工具を提供することである。【解決手段】保護カバー６の反電動機側壁面６ｂの切断方向前方端面６ｃと上端面６ｆとの交点６ｅが常にベース４底面よりも上方に位置する構成とした。【選択図】        図１
2004223775.tif 000002
【特許請求の範囲】
【請求項１】
電動機を内蔵した本体と、該本体に回転可能に保持され、前記電動機により回転駆動する鋸刃と、前記本体下方に取付けられ、被切断材上面を摺動可能で切断作業時に案内面となる底面を有するベースと、前記本体に回動可能に設けられ、前記ベース底面よりも下方に突出する前記鋸刃外周の一部を覆う形状をした保護カバーとを有し、前記ベースに対して相対的に前記本体を傾斜可能とし、前記ベース底面に対する前記鋸刃の角度を調整可能とした携帯用切断工具であって、
前記保護カバーの反電動機側壁面の切断方向前方端面と上端面との交点が常に前記ベース底面よりも上方に位置する構成としたことを特徴とする携帯用切断工具。
【請求項２】
前記切断方向前方端面は前記ベース底面に向かうに従って前記保護カバーの回動中心からの距離が小さくなるよう傾斜した形状を有することを特徴とする請求項１記載の携帯用切断工具。
【請求項３】
前記ベース底面に対する前記鋸刃の角度が直角である際の前記ベース底面から前記保護カバーの前記交点までの垂直方向距離を、前記角度が直角である際の前記交点と前記角度が最大に傾斜した際の前記交点との垂直方向の移動距離よりも大きくしたことを特徴とする請求項１記載の携帯用切断工具。
【請求項４】
前記保護カバーの前記交点から前記保護カバーの回動中心までの距離を、前記回動中心から前記ベース底面までの垂直方向の距離よりも小さくしたことを特徴とする請求項１記載の携帯用切断工具。
【発明の詳細な説明】
【０００１】
【発明の属する技術分野】
本発明は、本体に回動可能に設けられ、ベース底面より下方に突出した鋸刃外周の一部を覆う形状をした保護カバーを有する携帯用切断工具に関するものである。以下、携帯用切断工具を携帯用電気丸鋸として説明する。
【０００２】
【従来の技術】
図１に示すような携帯用電気丸鋸に採用されるベース４底面より下方に突出した鋸刃５外周の一部を覆う形状をした従来の保護カバー６を図８に示す。
【０００３】
保護カバー６は、鋸刃５の回動軸心と同心上で回動可能なようにソーカバー２内部に保持されているが、図８に示すように保護カバー６にはソーカバー２内壁の一部に一端が取付けられたスプリング７の他端が取付けられており、保護カバー６が鋸刃５の外周を露出するように図示反時計回り方向に回動すると、スプリング７は伸びるため、保護カバー６はスプリング７の復帰力によって図８に示す初期状態に復帰するよう付勢される。すなわち、保護カバー６の回動操作を解除すると保護カバー６はスプリング７の伸縮力によって時計回り方向に回動し図８に示す初期状態に復帰する。
【０００４】
このように保護カバー６は鋸刃５の外周を覆うものであるが、被切断材の切断作業時には、切断作業開始時に被切断材の端面に当接し、更に被切断材上で携帯用電気丸鋸本体が摺動すると、反力によって保護カバー６は鋸刃５の回転軸心と同心上で回動し、鋸刃５の外周を自動的に露出させ鋸刃５による切断作業を可能とする。
【０００５】
なお、保護カバー６には図８に示すようにレバー部６ａが設けられており、レバー部６ａを操作することによっても保護カバー６の回動を行うことができるようになっている。
【０００６】
従来の携帯用電気丸鋸の保護カバー６は、反電動機側（図８の手前側）の壁面６ｂが鋸刃５のほぼ外周部付近のみを覆う形状をしており、反電動機側壁面６ｂの切断方向前方側端面６ｃはベース４底面よりも下方に位置する構成をしている。
【０００７】
【発明が解決しようとする課題】
上記したように従来の携帯用電気丸鋸は、切断作業開始時に保護カバー６が被切断材端面に当接することにより、保護カバー６がベース４底面より突出する鋸刃５外周を露出させるように自動的に回動するものであるが、図９に示すような作業状態にあっては保護カバー６の回動がスムーズに行われず、または回動不能となり作業性の低下を招く恐れがあるものであった。
【０００８】
図９は被切断材８の端面に対して傾斜した切断を行う切断開始時の状態を示す要部断面平面図であるが、図に示すような切断作業の場合、被切断材８の端面には保護カバー６の電動機側壁面６ｄよりも先に反電動機側壁面６ｂが当接することとなる。この場合であって材料厚さがベース４底面からの切断方向前方端面６ｃの上端までの寸法とほぼ等しい被切断材８ａである場合、図１０に示すように被切断材８ａの下方端部が反電動機側壁面６ｂの切断方向前方端面６ｃの上端に当接するが、被切断材８ａ上を丸鋸本体が摺動することにより発生する反力９ａが保護カバー６の回動方向と沿わなくなると共に保護カバー６の回動を被切断材８ａが妨げることとなり、保護カバー６の回動がスムーズに行われない、もしくは保護カバー６が回動不能となってしまう。その際には、レバー６ａを回動操作することにより保護カバー６を回動させる必要があるが、切断作業性が低下してしまうと共に切断面に段差を発生させてしまう等の不具合があった。
【０００９】
これは、図１０に示すように、材料厚さがベース４底面からの切断方向前方端面６ｃ上端までの寸法よりも小さい被切断材８ｂ、８ｃであっても同様である。この場合には、被切断材８ｂ、８ｃが反電動機側壁面６ｂの上端面６ｆに当接し、更に保護カバー６の回動を被切断材８ｂ、８ｃが妨げることとなり、保護カバー６の回動性が悪い。
【００１０】
なお、図１０に示す被切断材８ａの切断作業の場合、図に示す状態から保護カバー６が回動すると被切断材８ａと保護カバー６との当接が一度解消され、その際に保護カバー６がスプリング７の働きによって図示時計回り方向に回動し、その後被切断材８ａと上端面６ｆとが当接するが、被切断材８ｂ、８ｃの場合と同様に保護カバー６の回動性が悪い。
【００１１】
また、図１１に示すように切断作業開始時に保護カバー６が反力９ｄによって回動するが、保護カバー６の回動位置によって被切断材８ｄと当接する端面６ｃの個所が変化しこれによって反力が図に示すように９ｅ、９ｆ、９ｇと徐々にベース４底面から離れる方向に変化し、保護カバー６の回動がスムーズに行われない、もしくは保護カバー６が回動不能となってしまう場合がある。
【００１２】
本発明の目的は、上記欠点を解消し、保護カバーの回動性を向上させ、作業性の良い携帯用切断工具を提供することである。
【００１３】
【課題を解決するための手段】
上記目的は、保護カバーの反電動機側壁面の切断方向前方端面と上端面との交点が常にベース底面よりも上方に位置する構成とすることにより達成される。
【００１４】
更に、最大切込み深さでベース底面と鋸刃との角度が最大に傾斜した状態であっても保護カバーの前記交点が、ベース底面よりも上方に位置する構成とすることによって達成される。
【００１５】
更に、保護カバーがいずれの回動位置にあっても保護カバーの前記交点が、ベース底面よりも上方に位置する構成とすることによって達成される。
【００１６】
【発明の実施の形態】
本発明携帯用電気丸鋸の一実施形態を図１〜図６を用いて説明する。
【００１７】
図に示すように携帯用電気丸鋸は、電動機（図示せず）を内蔵すると共にハンドル部１ａを有したハウジング１と、ハウジング１に連結されたソーカバー２と、ソーカバー２の切断方向前後に設けられた連結部３ａ、３ｂによってソーカバー２と連結されたベース４と、前記電動機に機械的に連結され電動機により回転駆動する鋸刃５と、ソーカバー２内部に回動可能に保持され、ベース４底面より下方に突出する鋸刃５の外周の一部を覆う形状をした保護カバー６とを有する構成をしている。
【００１８】
図に示すようにベース４には、鋸刃５がベース４底面よりも下方に突出可能なように開口部４ａが設けられた構成をしている。
【００１９】
また、ソーカバー２とベース４とを連結する連結部３ａ及び３ｂにはそれぞれ同心上に位置する傾斜支点３ｃが設けられており、この傾斜支点３ｃを支点としてソーカバー２及び本体１がベース４に対して相対的に回動することにより、ベース４底面に対する鋸刃５の角度を変更することができ、これによって任意の傾斜角度での切断作業を行うことができるようになっている。なお、ベース４底面に対する鋸刃５の角度を調整した後に、ソーカバー２とベース４との傾斜位置を固定する固定手段３ｅによってベース４底面に対する鋸刃５の角度を決定する構成をしている。
【００２０】
また、連結部３ａに鋸刃５の軸方向に平行に延びる回動支点３ｄを設けた構成をしており、回動支点３ｄを支点としてベース４に対しソーカバー２を回動させることにより、ベース４底面よりも下方に突出する鋸刃５の突出量、すなわち切込み深さを変更可能となっている。なお、他方の連結部３ｂには図示しないが回動支点３ｄを支点とした回動位置を固定する固定手段が設けられている。
【００２１】
従来と同様、保護カバー６はスプリング７によって図２に示す初期状態に復帰する構成となっている。
【００２２】
図２に示す携帯用電気丸鋸の状態は、切込み深さが最大であり、ベース４底面に対する鋸刃５の角度が直角に設定された状態であるが、この状態において、保護カバー６の反電動機側壁面６ｂの切断方向前方側端面６ｃは、ベース４底面よりも上方に突出するよう延びた形状をしている。
【００２３】
この保護カバー６の端面６ｃは、図２に示す初期状態においてベース４底面側上方部が下方部よりも切断方向後方側に傾斜した形状をしており、ベース４底面側に向かうに従って回動中心からの距離が随時小さくなる、もしくはそのラインに近似した形状をしている。
【００２４】
保護カバー６を上記した形状とすることにより、図９に示すような被切断材８の端面に対して傾斜した切断作業を行う場合にあって、種々の材料厚さの被切断材８を切断するとしても、保護カバー６を自動的にスムーズに回動させることができるようになる。
【００２５】
これは、図３に示すように材料厚さの異なる被切断材８ａ〜８ｃであっても被切断材８ａ〜８ｃの端面が必ず切断方向前方側端面６ｃに当接すると共に、図４に示すように保護カバー６の回動位置に応じて反力９ｄ〜９ｆの方向が保護カバー６の回動方向とほぼ同じ方向となるためである。
【００２６】
図に示すように保護カバー６の反電動機側壁面６ｂの切断方向前方側端面６ｃと上端面６ｆとはベース４の底面よりも上方位置において交差している。
【００２７】
この交点６ｅは、交点６ｅから保護カバー６の回動中心までの距離Ｃが、保護カバー６の回動中心からベース４底面までの垂直方向の距離Ｄよりも大きくなるよう設定されており、これによって保護カバー６がどの回動位置にあっても常に保護カバー６の端面６ｃがベース４底面よりも上方に突出するため、切断作業途中で保護カバー６の回動がスムーズでなくなる、もしくは回動不能となることを防止することができる。
【００２８】
また、傾斜支点３ｃを支点として丸鋸本体１をベース４に対して相対的に回動させ、ベース４底面に対する鋸刃５の角度を傾斜させた状態のベース４と、鋸刃５及び保護カバー６の関係を表す要部断面図を図５に示す。図に示す状態は、本実施形態の携帯用電気丸鋸が最大に傾斜可能な角度である４５度に傾斜した状態である。
【００２９】
図５に示すようにベース４底面に対する鋸刃５の角度を傾斜させた場合には、ベース４底面に対する鋸刃５の角度が直角である場合に比べ、保護カバー６の交点６ｅがベース４底面側に移動する。本実施形態の携帯用電気丸鋸では、このようにベース４底面に対する鋸刃５の角度を傾斜させたとしても、保護カバー６の反電動機側端面６ｂの切断方前方側端面６ｃがベース４底面よりも上方まで延びる形状をしている、すなわち切断方前方側端面６ｃと上端面６ｄとの交点６ｅがベース４底面よりも上方に位置する構成をしている。
【００３０】
次に上記したように保護カバー６の交点６ｅが常にベース４底面よりも上方に位置するよう構成するために必要な図２に示す初期状態における交点６ｅからベース４底面までの垂直方向の距離Ｅを図６に示す模式図を用いて算出した結果を示す。
【００３１】
図６に表される各符号は下記の通りであり、
θ１・・・携帯用電気丸鋸の最大傾斜角度
０・・・傾斜支点
Ａ・・・切込み深さが最大でベース４底面に対する鋸刃５の角度が直角である際の保護カバー６の交点６ｄ部分の鋸刃５側端部
Ｂ・・・切込み深さが最大でベース４底面に対する鋸刃５の角度が最大に傾斜してある際の保護カバー６の交点６ｄ部分の鋸刃５側端部
Ｆ・・・ベース４底面
Ｌ１・・・０からＡまでの水平方向距離
Ｌ２・・・ベース４底面から０までの垂直方向距離（Ｂから０までの垂直方向距離）
Ｌ３・・・０からＡまでの垂直方向距離
Ｌ４・・・ＡからＢまでの垂直方向距離
【００３２】
これらの関係式として下記（１）〜（６）が成り立つ。
Ｌ４＝Ｌ２−Ｌ３  ・・・（１）
Ｌ３＝Ｌ１・ｔａｎθ２  ・・・（２）
θ１＋θ２＋θ３＝π／２  ・・・（３）
θ２＝π／２−θ１−θ３  ・・・（４）
θ３＝ｃｏｓ−１（Ｌ２／Ｌ１・ｃｏｓθ２）  ・・・（５）
（３）を（５）に代入
θ１＋θ２＋ｃｏｓ−１（Ｌ２／Ｌ１・ｃｏｓθ２）＝π／２
θ２＝ｔａｎ−１（（Ｌ２／Ｌ１−ｓｉｎθ１）／ｃｏｓθ１）  ・・・（６）
（６）を（２）に代入
Ｌ３＝Ｌ１・ｔａｎ（ｔａｎ−１（Ｌ２／Ｌ１−ｓｉｎθ１）／ｃｏｓθ１）
Ｌ３＝（Ｌ２／ｃｏｓθ１）−Ｌ１・ｔａｎθ１  ・・・（７）
（７）を（１）に代入
Ｌ４＝Ｌ２−（Ｌ２／ｃｏｓθ１）＋Ｌ１・ｔａｎθ１  ・・・（８）
図６に示す状態はＢがベース４底面の平行線上に位置する構成とした時の関係式であり、図２に示す初期状態における交点６ｅからベース４底面までの距離Ｅが（８）の関係式を満足する構成とすれば、Ｂがベース４底面の平行線上に位置する構成とすることができる。
【００３３】
図２に示す初期状態より最大に傾斜させた際に変化するベース４底面からの保護カバー６の交点６ｅまでの距離がＬ４であり、図２に示す初期状態においてこのＬ４よりも交点６ｅがベース４底面から離れる構成とすることにより、すなわち下記関係式を満足する構成とすることにより、最大傾斜時にも交点６ｅがベース４底面より上方に位置するように構成することができる。
Ｌ４≧Ｌ２−（Ｌ２／ｃｏｓθ１）＋Ｌ１・ｔａｎθ１
【００３４】
また、本実施形態の携帯用電気丸鋸では、図２に示す初期状態より保護カバー２を回動させ、保護カバー６の回動中心の垂直線上に交点６ｅが位置すると、図６に示すＡの位置がＡ’の位置まで変化することとなる（変化する垂直方向距離Ｌ５）。
【００３５】
このため、上記の関係式に保護カバー６の回動に伴う変化量を考慮した下記関係式を満足する構成とすることにより、常に交点６ｅがベース４底面よりも上方に位置する構成とすることができる。
Ｌ１≧Ｌ２−（Ｌ２／ｃｏｓθ１）＋Ｌ１・ｔａｎθ１＋Ｌ５・ｃｏｓθ１
【００３６】
次に本発明携帯用電気丸鋸の他の実施形態を図７を用いて説明する。
【００３７】
図に示す保護カバー６は上記した関係式を満足する構成となっており、保護カバー６の反電動機側壁面６ｂの切断方向先方側端面６ｃと上端面６ｆとの交点６ｅが常にベース４底面よりも上方に突出する構成となっているが、本実施形態では、上記した実施形態と比べ、保護カバー６の反電動機側壁面６ｂの形状を工夫することにより、鋸刃５の交換作業の作業性が低下することを抑制するようにしたものである。
【００３８】
図に示すように本実施形態の反電動機側壁面６ｃは、ベース４底面より上方に突出する交点６ｅ付近の部分が鋸刃５から離れるように段差を有する形状をしている。このような構成とすることによって、鋸刃５をソーカバー２内部に固定させるための鋸刃固定具１０の取付け取外し作業の際に、保護カバー６が邪魔となり作業性が低下することを抑制することができるようになる。
【００３９】
これは、保護カバー６の交点６ｅがベース４底面よりも上方に突出した構成で、且つ保護カバー６の回動中心から交点６ｅまでの距離を、回動中心からベース４底面までの垂直方向の距離よりも小さくした構成、すなわち鋸刃５の回動中心部分に位置する鋸刃固定具１０に保護カバー６を近づけた構成である本発明携帯用電気丸鋸において顕著な効果を奏し出す構成である。
【００４０】
なお、上記実施形態では、ベース４底面に対する鋸刃５の傾斜角度の最大角度を４５度としたが、本発明はこれに限られるものではなく、例えば５０度、５５度と種々の角度に設定可能である。
【００４１】
また、上記実施形態では、図２等に示すように保護カバー６の反電動機側壁面６ｂの上端面６ｆの形状を凹部形状としたものであるが、これによって保護カバー６の軽量化を図ることができると共に、鋸刃固定具１０に近接した部分を少なくすることにより鋸刃５の交換作業の作業性の低下を抑制することができるものである。
【００４２】
【発明の効果】
本発明によれば、保護カバーの反電動機側壁面の切断方向前方端面と上端面との交点が常に前記ベース底面よりも上方に位置する構成としたことにより、保護カバーの回動性を向上させ、作業性の良い携帯用切断工具を提供することができるようになる。
【図面の簡単な説明】
【図１】本発明携帯用切断工具の一実施形態を示す斜視図。
【図２】本発明携帯用切断工具の一実施形態を示す要部拡大正面図。
【図３】図２に示す携帯用切断工具の切断作業状態を示す説明図。
【図４】図２に示す携帯用切断工具の切断作業状態を示す説明図。
【図５】図２に示す携帯用切断工具であってベースに対する鋸刃の角度を最大に傾斜させた状態を示すＦ−Ｆ線相当断面図。
【図６】本発明携帯用切断工具を構成する保護カバー、ベース底面、傾斜支点との関係を模式図。
【図７】本発明携帯用切断工具の他の実施形態を示す図２のＦ−Ｆ線相当断面図。
【図８】従来の携帯用切断工具の一例を示す要部拡大正面図。
【図９】携帯用切断工具の一切断作業状態を示す要部断面平面図。
【図１０】図８に示す携帯用切断工具の切断作業状態を示す説明図。
【図１１】図８に示す携帯用切断工具の切断作業状態を示す説明図。
【符号の説明】
１はハウジング、２はソーカバー、３ａ、３ｂは連結部、３ｄは回動支点、３ｅ固定手段、４はベース、４ａは開口部、５は鋸刃、６は保護カバー、６ａはレバー部、６ｂは反電動機側壁面、６ｃは切断方向前方壁面、６ｄは電動機側壁面、６ｅは切断方向前方壁面６ｃと上端面６ｆとの交点、７はスプリング、８は被切断材、９は反力、１０は鋸刃固定具である。
【図１】
2004223775.tif 000003
【図２】
2004223775.tif 000004
【図３】
2004223775.tif 000005
【図４】
2004223775.tif 000006
【図５】
2004223775.tif 000007
【図６】
2004223775.tif 000008
【図７】
2004223775.tif 000009
【図８】
2004223775.tif 000010
【図９】
2004223775.tif 000011
【図１０】
2004223775.tif 000012
【図１１】
2004223775.tif 000013